Podtech/llm-jp-corpus-v4-ja_patent huggingface dataset:
(57)【要約】      （修正有）【課題】簡単にコンセントより簡単に抜取るためにリンク、レバ−を設置した電源プラグの提供。【解決の手段】プラグ本体１にピン３、リンクレバ−２、ト−ションスプリング４をもうけ、コンセントａに差込まれている、電源プラグをリンクレバ−２を指で押す事により抜く事が出来る。又コ−ドの無い電源プラグ（コ−ド無しメス形）を抜く時も同様である。【選択図】図３
0003113781.tif 000002
【実用新案登録請求の範囲】
【請求項１】
電源プラグをコンセント及びメス形プラグ（ａ）より抜く時にリンク、レバ−２を指で押す事により簡単に無理なく電源プラグを抜く事が出来る特徴を持った電源プラグ
【請求項２】
リンク、レバ−２は常に元の位置に戻る様にピン３を中心にリンク、レバ−２をト−ション、スプリング４で戻しておく電源プラグ
【考案の詳細な説明】
【技術分野】
【０００１】  本考案は、電源プラグをコンセント及びメス形プラグより抜く時に指先でリンク、レバ−を軽く押す事により抜けるコンセントに関する物である
［背景技術］【０００２】  家庭、工場等で電源プラグを抜く時に抜きにくい為コ−ドの部分を摘み抜いていた為、ショウト等の故障にもつながる事もある。
［考案の開示］
［考案が解決しようとする課題］【０００３】電源プラグを差込むコンセントは比較的狭い所、高い所、暗い所にある場合でも簡単に指先で押す事により抜く事が出来る様に欠点を解決しようとするものである。
［課題を解決するための手段］【０００４】本考案は電源プラグ本体にリンク、レバ−を設ける事により問題点を解決した。
［考案の効果］【０００５】  上述の様に効果が有ると同時に子供、老人、障害等の指先の力が弱い人のためにも役立つ。
［考案の実施するための最良の形態］【０００６】電源プラグのリング、レバ−は片側のみにある為電源プラグを抜く時抜き易い様に向きを変える事も出来るため抜き易くなる。
［実施例］【０００７】以下、添付図面に従って一実施例を説明する。１は耐熱、耐久性プラス、チックス等の適宜素材にて一体化された、２電源プラグ本体（コ−ドｂ付）をａメス形コンセントより抜取るための２リンク、レバ−で電源プラグ、内に３ピンを基準にセットされており、リング、レバ−を原位置にもどす為に４ト−ション、スプリングが内蔵されております。【０００８】添付図面。５電源プラグ本体ですが、この電源プラグの１との違いは５プラグ本体がメス形に成っており、コ−ドｂは付いていないもの。
【図面の簡単な説明】
【０００９】［図１］本考案の電源プラグの平面図である
［図２］本電源プラグの正面図である
［図３］本電源プラグの側面図である
［図４］本電源プラグの側断面図である
［図５］本電源プラグ（コ−ド無しメス形）の平面図である
［図６］本電源プラグ（コ−ド無しメス形）の正面図である
［図７］本電源プラグ（コ−ド無しメス形）の側面図である
【符号の説明】
【００１０】１  電源プラグ、本体
２  リンク、レバ−
３  ピン
４  ト−ション、スプリング
５  電源プラグ本体（オス形コ−ド無し）
ａ  メス形コンセント
ｂ  コ−ド
【図１】
0003113781.tif 000003
【図２】
0003113781.tif 000004
【図３】
0003113781.tif 000005
【図４】
0003113781.tif 000006
【図５】
0003113781.tif 000007
【図６】
0003113781.tif 000008
【図７】
0003113781.tif 000009
(57)【要約】      （修正有）【課題】簡単にして強固に組付けられるキャップ付屋根板装置を提供する。【解決方法】先ず直立部１２上方に曲成部１３を有する吊子１１をモヤ材１４にビス１５で固定する。次に屋根板材１の一端に形成の傾斜部２を次の屋根板材１の他端に形成のＵ字状部９に係合させると共に、屋根板材１の他端に形成の直立部７とその上端に設けた傾斜部６を屋根板材のキャップ５内で吊子１１の直立部１２とその上端の曲成部１３に夫々当設係合させて成る。斯くして屋根板材１の傾斜部２とＵ字状部９、屋根板材の傾斜部６と吊子１１の曲成部１３が水返し機能することで内部への風雨の侵入を確実に防止でき、しかもキャップは多角形に形成されたことで強度性が向上し風雪にもよく耐えられる。【選択図】図２
0003113788.tif 000002
【実用新案登録請求の範囲】
【請求項１】
屋根板材１の一端に傾斜部２と水平部３とキャップ部５を他端に傾斜部６と直立部７とＵ字状部９を夫々形成し、屋根板材のキャップ５内にてモヤ材１４に固定の吊子１１の曲成部１３に屋根板材１の他端の傾斜部６を屋根板材の一端の傾斜部２を次の屋根板材の他端のＵ字状部９に夫々係合させて成るキャップ付き屋根板装置。
【考案の詳細な説明】
【技術分野】
【０００１】  本考案は、簡単にして強固に係合組付けられるキャップ付き屋根板装置である。
【背景技術】
【０００２】  従来よりの屋根板装置は、構造的に複雑であり、したがって組付け作業も専門家でないと出来ないため、コストも高くなる等の不利がある。
【考案の開示】
【考案が解決しようとする課題】
【０００３】  本考案は、簡単な構成で容易に組付けられることができる。
【課題を解決するための手段】
【０００４】  本考案は、屋根板材の両端に屈曲形成した係合部を配設したことにより、従来の欠点を解決するものである。
【考案の効果】
【０００５】  本考案は、屋根板材の両端に屈曲形成した係合部を利用することによって、格別の工具類を用いることなく、屋根板材同士を手作業で強固に係合することができ、したがって作業に際し特別の技術を要しないため、作業効率が高くしてコストも安くなり、しかもキャップを多角形に形成し且つ吊子を用いたことで屋根板全体の強度性が向上し、したがって風雪にもよく耐えられる等、多くの利点を有する。
【実施例】
【０００６】  本考案の実施例を図面で説明すると、図１は曲成加工された屋根板材１であって、その一端には上方への傾斜部２と水平部３を介した直立部４と、その上方に多角形のキャップ５が形成されている。【０００７】  また屋根板材１の他端には、内方への傾斜部６と直立部７と水平部８の内端を曲成したＵ字状部９が形成されている。【０００８】  前記した屋根板材１の一端と他端間には、複数のリブ１０が形成されている。【０００９】  図２は屋根板材１同士の組付け関係を示すもので、先ず直立部１２上方に曲成部１３を有する吊子１１をモヤ材１４にビス１５で固定する。
次に屋根板材１の一端に形成の傾斜部２を次の屋根板材１の他端に形成のＵ字状部９に係合させると共に、屋根板材１の他端に形成の直立部７とその上端に設けた傾斜部６を屋根板材のキャップ５内で吊子１１の直立部１２とその上端の曲成部１３に夫々当設係合させて成る。
斯くして屋根板材１の傾斜部２とＵ字状部９、屋根板材の傾斜部６と吊子１１の曲成部１３が水返し機能することで内部への風雨の侵入を確実に防止でき、しかもキャップは多角形に形成されたことで強度性が向上し風雪にもよく耐えられる。
【図面の簡単な説明】
【００１０】
【図１】本考案キャップ付き屋根板装置の屋根板材の側面図である。
【図２】本考案キャップ付き屋根装置の組付関係を示す側面図である。
【符号の説明】
【００１１】１            屋根板材
２，６        傾斜部
３            水平部
５            キャップ部
９            Ｕ字状部
１１          吊子
１３          曲成部
１４          モヤ材
【図１】
0003113788.tif 000003
【図２】
0003113788.tif 000004
(57)【要約】      （修正有）【課題】和服着用時に肌着として着用されている従来ステテコのでは、股上が深く、ウエスト部分が着物の腰紐の位置よりも上部にくるために起こるトイレでの脱着の不都合などの解消するステテコの提供。【解決手段】和服専用のステテコとして股上ａを浅くすることにより、腰紐の位置Ａよりも低い位置にて脱着できるようになる。【選択図】図１
0003113789.tif 000002
【実用新案登録請求の範囲】
【請求項１】
和服の下に着用するための、腰紐の位置より下にウエスト部分がある、股上の浅いズボン状の肌着。
【考案の詳細な説明】
【技術分野】
【０００１】本考案は、和服着用時の下着ステテコに関する。
【背景技術】
【０００２】  従来のステテコは和服用に特化されたものではなくではなく、股上が深く形成されていた。（図２）
【考案の開示】
【考案が解決しようとする課題】
【０００３】  しかしこれでは、一般に和服着用の際に締める腰紐が、ステテコの股上より下に結ぶことになり、トイレの際の上げ下げ等に不便であり、また着物の着崩れを起しやすい。
【課題を解決するための手段】
【０００４】  そこで、ステテコの股上を浅くし、和服着用の際の腰紐が、ステテコの上にかからない形状にする和服用ローライズステテコを考案した。（図１）
【考案の効果】
【０００５】  よって、本考案の和服用ローライズステテコにより、和服着用の際にトイレ等での上げ下げが容易になり、また、着崩れの予防となる。
【考案を実施するための最良の形態】
【０００６】  本考案にかかわる和服用ローライズステテコは、図１に示すように、股上ａを図２の従来のステテコの股上ｂよりも短く製図を引くことにより製作される。この数値は男性用女性用サイズ展開ができるため、身長やヒップのサイズに応じて決めることができる。おおむね腰骨の位置にウエストがくるのが良い。素材は汗取り用であれば綿・麻絹、保温用であれば、ウールや化繊も使用でき、応用の範囲が広い。ウエスト部分はゴムを使用し、着付けの際の締め付けを軽減するとよい。
【図面の簡単な説明】
【０００７】
【図１】  本考案に係る和服用ローライズステテコを、着用した際の立体図である。
【図２】  従来の一般的なステテコを着用した際の立体図である。
【図３】  本考案にかかわる和服用ローライズステテコの前面の製図である。（左右非対称で２枚裁断する）
【図４】  本考案にかかわる和服用ローライズステテコの後ろ面の製図である。（左右非対称で２枚裁断する）
【符号の説明】
【０００８】Ａ        着物を着る際に腰ひもを結ぶ一般的な位置
ａ        本考案の和服用ローライズステテコの股上
ｂ        従来のステテコの股上
ｃ        （ウエストサイズ＋ゴムによる伸縮分）×１／４
ｅ        股下
【図１】
0003113789.tif 000003
【図２】
0003113789.tif 000004
【図３】
0003113789.tif 000005
【図４】
0003113789.tif 000006
(57)【要約】      （修正有）【課題】愛玩動物の精神的、肉体的健康の増進に効果のある動物用ベルト装着駒の提供。【解決手段】愛玩動物の首または胴体に装着するベルトに、上面部に樹脂と分離または混合にて固定されたマイナスイオン材と成型品裏面に取付けられた、本考案の成型品のマイナスイオン効果による精神的健康と、ゲルマニューム効果による血行促進、新陳代謝促進を増大せしめる。【選択図】図１
0003113736.tif 000002
【実用新案登録請求の範囲】
【請求項１】
愛玩動物用ベルトに装着し、樹脂で固定したマイナスイオン材による効果と、裏面に取付けるゲルマニュームによる血行促進と老廃物排出効果を特徴とする、成型品。
【請求項２】
請求項１のマイナスイオン材と固定用樹脂を２層に分離し固定する成型品。
【請求項３】
請求項１のマイナスイオン材と固定用樹脂を混合し、１層で固定する成型品。
【請求項４】
請求項１〜３の形状の成型品の裏面に、ゲルマニュームをＭＤ加工により取付ける成型品。
【請求項５】
請求項１〜４の構造を持つ、木材・紙材・金属・プラスチックによる成型品。
【考案の詳細な説明】
【技術分野】
【０００１】  本考案は、マイナスイオン材の調合および樹脂による固定、並びにゲルマニュームのＭＤ加工による成型方法に関する。
詳しくは、任意の成型品の上面にマイナスイオン材を樹脂により固定し、成型品裏面には、ＭＤ加工によりゲルマニュームを取付ける。
【背景技術】
【０００２】  本考案の成型に関しては、マイナスイオン材と樹脂の混合、および、その固定技術、並びにゲルマニュームのＭＤ加工技術を必要とする。
【考案が解決しようとする課題】
【０００３】  愛玩動物の精神的、肉体的健康の増進。
【考案の効果】
【０００４】  愛玩動物の首または胴体に装着するベルトに直接装着し、本考案のマイナスイオン効果による精神的健康と、ゲルマニューム効果による血行促進、新陳代謝促進に効果がある。
【図面の簡単な説明】
【０００５】
【図１】  図１は、本考案の概念構造図であり、形状はこの限りではない。  開口部Ａはマイナスイオン材と固定用樹脂、またはマイナスイオン材と樹脂の混物の装填部である。  開口部Ｂは本成型品を愛玩動物用ベルトに装着するための、通し穴である。
【図２】  図２は、本考案の主要部である、図１の開口部Ａの内部に充填する、固定用樹脂層とマイナスイオン層を示す。
【図３】  図３は、固定用樹脂にマイナスイオン発生部材を混入し、同一層として、図１の開口部Ａの内部に充填する場合を示す。
【図１】
0003113736.tif 000003
【図２】
0003113736.tif 000004
【図３】
0003113736.tif 000005
【手続補正書】
【提出日】平成17年2月18日(2005.2.18)
【手続補正１】
【補正対象書類名】実用新案登録請求の範囲
【補正対象項目名】全文
【補正方法】変更
【補正の内容】
【実用新案登録請求の範囲】
【請求項１】
マイナスイオン剤  及びゲルマニューム剤等を愛玩動物用ベルト装着用駒にとりつけ、この駒を単体、又は連結してなる成型品
【請求項２】
請求項１のマイナスイオン剤と固定用樹脂を２層に分離し固定する成型品。
【請求項３】
請求項１のマイナスイオン剤と固定用樹脂を混合し、１層で固定する成型品。
【請求項４】
請求項１〜３の形状の成型品の裏面に、ゲルマニュームをＭＤ加工により取付ける成型品。
【請求項５】
請求項１〜４の構造を持つ、木材・紙材・金属・プラスチックによる成型品。
【手続補正２】
【補正対象書類名】明細書
【補正対象項目名】全文
【補正方法】変更
【補正の内容】
【考案の詳細な説明】
【技術分野】
【０００１】  本考案は、マイナスイオン剤の調合および樹脂による固定、並びにゲルマニュームのＭＤ加工による成型方法に関する。
詳しくは、愛玩動物用ベルト装着用駒の上面にマイナスイオン剤を樹脂により固定し、成型品裏面には、ＭＤ加工によりゲルマニュームを取付ける。
【背景技術】
【０００２】  本考案の成型に関しては、マイナスイオン剤と樹脂の混合、および、その固定技術、並びにゲルマニュームのＭＤ加工技術を必要とする。
【考案が解決しようとする課題】
【０００３】  愛玩動物の精神的、肉体的健康の増進。
【考案の効果】
【０００４】  愛玩動物の首または胴体に装着するベルトに直接装着し、本考案のマイナスイオン効果による精神的健康と、ゲルマニューム効果による血行促進、新陳代謝促進に効果がある。
【図面の簡単な説明】
【０００５】
【図１】  図１は、本考案の主要構造図であり、愛玩動物用ベルト装着用駒の形状はこの限りではない。  開口部Ａはマイナスイオン剤と固定用樹脂２層、またはマイナスイオン剤と樹脂の混合物の装填部である。  開口部Ｂは本成型品を愛玩動物用ベルトに装着するための、貫通穴である。
【図２】  図２は、本考案の主要部である、図１の開口部Ａの内部に充填する、固定用樹脂層とマイナスイオン層を示す。
【図３】  図３は、固定用樹脂にマイナスイオン剤を混入し、同一層として、図１の開口部Ａの内部に充填する場合を示す。
【手続補正３】
【補正対象書類名】図面
【補正対象項目名】図１
【補正方法】変更
【補正の内容】
【図１】
0003113736.tif 000006
(57)【要約】      （修正有）【課題】ヘアブラシ底盤を上下移動する装置により簡便に頭毛を除去出来るヘアブラシを提供する。【解決手段】ヘアブラシに上下できる底盤１を設け底盤１がアップした際頭毛を除去できる構造とした。【選択図】図１
0003113737.tif 000002
【実用新案登録請求の範囲】
ヘアブラシに底盤を設け、上下移動によりヘアブラシに付着した頭毛を除去出来るヘアブラシ。
【考案の詳細な説明】
【技術分野】
【０００１】この考案はヘアブラシに底盤を設けたヘアブラシに関するものである。
（背景技術）【０００２】従来ヘアブラシに付着した頭毛を除去する装置はなかった。
（発明の開示）
（発明が解決しょうとする課題）【０００３】従来ヘアブラシに付着した頭毛を除去するには水洗いするか指先で除去するしかなかった、これらの欠点を改善したものである。
（課題を解決する為の手段）【０００４】いまこれを図面について説明すればブラシに底盤１をとりつけたヘアブラシである。
（考案の効果）【０００５】ヘアブラシ底盤を上下出来る構造で底盤がアップした際頭毛を除去出来る。
（考案を実施する為の最良の状態）【０００６】底盤が植毛先端部分すれすれにアップする。
【図面の簡単な説明】
【０００７】図１は使用前底盤が設置された斜視図である。
図２は使用後底盤がアップした状態の斜視図である。
【符号の説明】
【０００８】１．は底盤
２．は底盤作動装置ボタン
【図１】
0003113737.tif 000003
【図２】
0003113737.tif 000004
(57)【要約】【課題】従来骨壷は名前を油性ペンで書くことが多く数年後消えており、累代墓内に多数の骨壷があった場合誰の骨壷か識別出来ないので、直ぐに判別出来るような石札を提供する。【解決手段】骨壷の前に、石台２に乗せた石札本体１に、命日３念仏４俗名５年齢６を明記し、誰が見ても直ぐに骨壷の名前が分かる石札を置く。【選択図】図１
0003113733.tif 000002
【実用新案登録請求の範囲】
【請求項１】
累代墓納骨棺内にある骨壷が、親族や後世の子孫が見ても、誰の骨壷であるか識別可能になる。
【考案の詳細な説明】
【考案の開示】
【考案が解決しようとする課題】
【０００１】現在多くの墓が累代墓であり、一つの墓に多数の骨壷が納められており、従来は名前を油性ペン等で書いていたが数年後消えることが多く、誰のお骨か識別できなくなっていた。
【課題を解決するための手段】
【０００２】骨壷の前面に戒名、俗名、死亡年月日を彫りこんだ石札を置く。
【考案の効果】
【０００３】同じ累代墓に新たに骨壷を納めたい時や、親族がお墓参りの時又誰の骨壷か確認しなければならない要件があるときに、すぐに誰の骨壷か識別可能になる。
【図面の簡単な説明】
【０００４】
【図１】  本考案の石札の斜視図
【符号の説明】
【０００５】  １  石札本体
２  石台
３  命日
４  念仏
５  俗名
６  年齢
【図１】
0003113733.tif 000003
(57)【要約】      （修正有）【課題】従来の家屋は換気口が閉まらない構造の物が多く冬は床下を通る冷たい風で家全体が冷えて暖房費がかさむので、後付けで簡易に取り付けられるようにした開閉装置付き換気口の提供。【解決手段】換気口本体１にセットしたスプリング固定糸２を切断する事により、ワンタッチで取り付け可能にした。ワンタッチ取り付けが不可能な場合はクギでも取り付け可能にした。【選択図】図３
0003113732.tif 000002
【実用新案登録請求の範囲】
【請求項１】
開閉機能の付いていない、既存換気口に換気口本体１をワンタッチで取り付けられる開閉型換気口。
【考案の詳細な説明】
【考案の開示】
【考案が解決しようとする課題】
【０００１】従来の住宅の床下換気口は、密閉する機能がないため冬は床下を通る冷たい風で家の中が寒くなり暖房費がかさむという点と、開閉できる換気口は建築時にしか取り付けられないという問題点があった。
【課題を解決するための手段】
【０００２】開閉機能の無い換気口に、開閉機能が付いた換気口をワンタッチで取り付けられるようにした。
【考案の効果】
【０００３】冬は換気口の蓋を閉じることで、外気が床下を通らないため床下の温度（地熱効果）が保たれ、屋外の寒さが軽減され暖房費の節約になる。・ストーブの使用時間が短くなり、低い温度設定でも効果があるので灯油及び電気等の節約になる。・風呂の残り湯も翌朝まで暖かいので、洗濯にも利用しやすい。・観葉植物も従来なら家の中でも寒さで枯れるのに、囲わなくても枯れない。・通常煉炭こたつの使用時間は１日〜１日半だが、丸２日間使用できるようになる。・水洗トイレのタンクの水が凍らなくなる。・フローリングの冷たさが軽減される。
【図面の簡単な説明】
【０００４】【図１】開閉機能のない床下の換気口と、考案した換気口の平面図（表）である。
【図２】考案した換気口の平面図（裏）である。
【図３】考案した換気口の使用状況を示す上面図である。
【符号の説明】
【図１】１換気口本体  ２左右スプリング固定糸  ３補助用クギ穴  ４換気口  ５スライド扉ツマミ  ６換気口固定装置
【図２】１強力スプリング  ２スライド扉  ３スライドガイド  ４ストッパー  ５軸受け  ６スキマ防ぎスポンジ
【図３】１既存換気口  ２基礎壁面  ３
【図１】の２切断時の位置
【図１】
0003113732.tif 000003
【図２】
0003113732.tif 000004
【図３】
0003113732.tif 000005
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
・開閉機能の付いた換気口を簡単に後付け出来る装置としてスプリング付換気口固定装置及びスプリング付換気口固定装置をたたんでセットしている左右スプリング固定糸で構成されており、取り付け時にはスプリング固定糸を切断する事によりワンタッチで取り付けを可能にした。
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
開閉機能の付いた換気口を簡単に後付け可能な装置としてスプリング付換気口固定装置及びスプリング付換気口固定装置をたたんでセットしている左右スプリング固定糸とで構成されており取り付け時にはスプリング固定糸を切断する事により換気口固定装置がスプリングの力により飛び出し、基礎壁面に圧着する事によりワンタッチで取り付けを可能にした簡易取り付型開閉機能付床下換気口。
【手続補正書】
【提出日】平成16年11月26日(2004.11.26)
【手続補正１】
【補正対象書類名】実用新案登録請求の範囲
【補正対象項目名】請求項１
【補正方法】変更
【補正の内容】
【請求項１】
開閉機能の無い換気口に取り付けられることを特徴とする開閉装置付床下換気口本体。
(57)【要約】【課題】  従来の雨合羽には靴用カバーがついておらず、雨靴を履かない場合靴が濡れて困る。【解決手段】  雨合羽の裾に靴用カバーをまるめて収納し、雨天時に広げて靴を覆って使用する。【選択図】    図２
0003113740.tif 000002
【実用新案登録請求の範囲】
【請求項１】
雨合羽を着用した時、靴が濡れない様に靴カバーを取り付ける考案で、雨合羽の裾にまるめて収納しておいた、ビニール等で作ったカバーを広げて靴を覆い、濡れない様にする。
【考案の詳細な説明】
【技術分野】
【０００１】  本考案は、雨合羽に取り付ける靴カバーに関する。
【背景技術】
【０００２】  従来の雨合羽には靴カバーがついていない。
【考案の開示】
【考案が解決しようとする課題】
【０００３】  これでは、雨靴を履かない場合、靴が濡れて大変困る。
【課題を解決するための手段】
【０００４】  そこで、雨合羽の裾にまるめて収納しておいた靴カバーを、雨合羽着用時に広げて、靴を覆って濡れない様にする。
【考案の効果】
【０００５】  よって、本考案の雨合羽用靴カバーにより、雨天時に靴が濡れない様にできる。
【考案を実施するための最良の形態】
【０００６】  本考案に係る雨合羽用靴カバーは、図１に示すように、雨合羽の裾に靴カバーをまるめて収納し、ホック等で止めて落ちない様にして、雨合羽着用時に広げて靴を覆う。カバーはビニール等で作り、まるめられるやわらかさと破れにくい適度な強さがあれば良い。
【図面の簡単な説明】
【０００７】
【図１】  本考案に係る雨合羽用靴カバーを、雨合羽の裾に収納した図である。
【図２】  本考案に係る雨合羽用靴カバーを、広げて使用した時の図である。
【符号の説明】
【０００８】  １    雨合羽の裾
２    ホック
３    靴カバー
４    靴
【図１】
0003113740.tif 000003
【図２】
0003113740.tif 000004
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
雨合羽を着用した時靴が濡れない様に、雨合羽の裾に雨合羽用靴カバーを取り付ける考案で、雨合羽の裾にまるめて収納しておいたビニール等で作った雨合羽用靴カバーを広げて靴を覆い、濡れない様にする。
以上の構成からなることを特徴とする雨合羽用靴カバー。
(57)【要約】      （修正有）【課題】犬が散歩中にする排便を衛生的且つ簡単に処理するために、取っ手の一方に２本の腕を付け、この腕に着脱できる糞受け容器を着けて、排便後落下する犬の糞を受け止め、糞受け容器ごと可燃ごみとして処理をする。【解決手段】取っ手の一方に取り付け部を中心に回転する２本の山形の腕を有し、回転する腕を開いた状態で固定する為の留め具と、腕に着脱する為の腕を通す筒部を有する糞受け容器から構成される。【選択図】なし【実用新案登録請求の範囲】
【請求項１】
〔図１〕の取っ手４に腕１を取り付けた道具の腕に、糞を受け取る容器が着脱できる仕組み。
【請求項２】
腕１は、留め具３を動かす事で、〔図２〕から〔図３〕の様に可動させる事ができる。
【考案の詳細な説明】
【技術分野】
【０００１】本考案は、犬の散歩中の排便を衛生的且つ簡単に処理するために、取っての先に、２本の棒状の腕をつけ、この腕に着脱できる容器を着けて、落下する犬の糞を受け止め容器ごと可燃ごみとして処理をする。
【背景技術】
【０００２】従来の犬の糞処理は、地面に落ちた糞を器具で挟みとったり、紙をかぶせて摘みとっつたりして処理している。
【考案の開示】
【考案が解決しようとする課題】
【０００３】器具を使用して糞処理をすると、器具に糞が付着して不衛生であり、また紙をかぶせて摘み取る場合、指先に不快感を感じます、この様な問題点を解消するための考案である。
【課題を解決するための手段】
【０００４】取っ手４に棒状の腕１が２本付き、留め具３で作られた本体に、可燃ごみに分類できる材質で作られた容器５を、本体の腕部に装着し〔図５〕落下途中の糞を受け止め、次に留め具３を動かし腕部を動かして容器の口を閉じる〔図６〕後は可燃ごみとして処理をする。
【考案の効果】
【０００５】糞を直接容器で受け止めることで、器具の汚れや間接的ではあるが糞に触れる不快感を解消する事ができる。また容器の口を閉じることで、糞が見えたり零れ落ちたりすることを防ぐことができる。
【図面の簡単な説明】
【０００６】
【図１】本体の正面図である。
【図２】本体の側面図である。
【図３】本体の腕部を動かしたときの側面図である。
【図４】容器の正面図と側面図である。
【図５】容器を装着したときの側面図である。
【図６】腕部を動かし容器の口を閉じたときの側面図である。
【符号の説明】
【０００７】１  腕
２  心棒
３  留め具
４  取っ手
５  容器
６  腕部を通す筒部
７  接着部
【図１】
0003113734.tif 000002
【図２】
0003113734.tif 000003
【図３】
0003113734.tif 000004
【図４】
0003113734.tif 000005
【図５】
0003113734.tif 000006
【図６】
0003113734.tif 000007
【手続補正書】
【提出日】平成16年10月28日(2004.10.28)
【手続補正１】
【補正対象書類名】実用新案登録請求の範囲
【補正対象項目名】全文
【補正方法】変更
【補正の内容】
【実用新案登録請求の範囲】
【請求項１】
取っ手の一方に取り付け部を中心に回転する２本の山形の腕を有し、回転する腕を開いた状態で固定する為の留め具を有することを特徴とする、犬の糞処理の道具。
【請求項２】
請求項１に記載の犬の糞処理の道具の、２本の腕を通す為の筒部を有する、糞受け容器。
【手続補正２】
【補正対象書類名】明細書
【補正対象項目名】全文
【補正方法】変更
【補正の内容】
【考案の詳細な説明】
【技術分野】
【０００１】本考案は、犬が散歩中にする排便を衛生的且つ簡単に処理するために、取っ手の一方に２本の腕を付け、この腕に着脱できる糞受け容器を着けて、排便後落下する犬の糞を受け止め、糞受け容器ごと可燃ごみとして処理をする、犬の糞処理の道具である。
【背景技術】
【０００２】従来の犬の糞処理は、地面に落ちた糞を器具で挟みとったり、紙をかぶせて摘みとったりして処理している。
【考案の開示】
【考案が解決しようとする課題】
【０００３】器具を使用して糞処理をすると、器具に糞が付着して不衛生であり、また紙をかぶせて摘み取る場合、指先に不快感を感じます、この様な問題点を解決するための考案である。
【課題を解決するための手段】
【０００４】本考案は取っ手４の一方に取り付け部８を中心に回転する２本の山形の腕１を有し、回転する腕１を開いた状態図１で固定する為の留め具３を有する犬の糞処理の道具１０と、腕１に着脱する為の腕を通す筒部６を有する糞受け容器５を用いて、問題を解決する。
本考案の使用法の説明として、はじめに腕１を開いた状態で使用する為、図１、図２に示すように腕１を開いて心棒２を中心に留め具３を回転させて、腕取り付け部８を留め具３で挟んで固定する。次に糞受け容器５の筒部６に腕１を通して図６に示すように糞受け容器を装着して、犬の排便後落下する糞を、糞受け容器で受け止める。次に図３、図４に示すように、留め具３を回転させて腕１の固定を解除して腕を閉じる。糞を受け止めた後は、図７に示すように、糞受け容器の口をとじる。後は腕１から糞受け容器を取り外して、可燃ごみとして処理をする。
ただし、ここでいう山形とは、山の様な形に曲がっている、という意味であり、代表的な形としては、Ｌ字形がある。
【考案の効果】
【０００５】糞を直接容器で受け止めることで、器具の汚れや間接的ではあるが糞に触れる不快感を解消する事ができる。また容器の口を閉じることで、糞が見えたり零れ落ちたりすることを防ぐことができる。
【図面の簡単な説明】
【０００６】
【図１】犬の糞処理の道具の腕を開いた状態の正面図である。
【図２】犬の糞処理の道具の腕を開いた状態の側面図である。
【図３】犬の糞処理の道具の腕を閉じた状態の正面図である。
【図４】犬の糞処理の道具の腕を閉じた状態の側面図である。
【図５】糞受け容器の（ａ）断面図、（ｂ）側面図である。
【図６】犬の糞処理の道具の腕を開いて、糞受け容器を装着した状態の側面図である。
【図７】犬の糞処理の道具の腕に、糞受け容器を装着したまま閉じた状態の側面図である。
【符号の説明】
【０００７】  １  腕
２  心棒
３  留め具
４  取っ手
５  糞受け容器
６  腕を通す筒部
７  接着部
８  腕取り付け部
９  糞受け容器の内側への折れ目
１０  犬の糞処理の道具
【手続補正３】
【補正対象書類名】図面
【補正対象項目名】全図
【補正方法】変更
【補正の内容】
【図１】
0003113734.tif 000008
【図２】
0003113734.tif 000009
【図３】
0003113734.tif 000010
【図４】
0003113734.tif 000011
【図５】
0003113734.tif 000012
【図６】
0003113734.tif 000013
【図７】
0003113734.tif 000014
(57)【要約】      （修正有）【課題】安価に、水質を汚染することなく魚を寄せ集める集魚装置を提供する。【解決手段】小魚の採餌音に大型魚が集まる習性を利用し、あらかじめ収録した魚の採餌音を組み込んだＩＣチップを集魚装置に内蔵し、その音を再生して集魚する。【選択図】図２
0003113739.tif 000002
【実用新案登録請求の範囲】
【請求項１】
あらかじめ収録しておいた魚の採餌音を記録した録音装置を組み込み、それを再生することにより集魚するための装置。
【考案の詳細な説明】
【技術分野】
【０００１】  この考案は魚が採餌の際に発生させる音を聞きつけて、その魚を捕食しようと他の魚が集まるという習性を利用したものであり、趣味としての釣りや漁業で利用される集魚装置である。
【背景技術】
【０００２】  従来、魚を集める手段としては、こませなどのおとりの餌を利用したものや、光に集まる習性を利用したものが中心であった。音を利用したものでは単純な、連続、非連続の人工的パターン信号を発生させる程度のものであった。
【考案の開示】
【考案が解決しようとする課題】
【０００３】  光を利用したものは夜間に活動する特定の魚に対してのみ有効である。こませは匂いが水中で拡散するまでに時間がかかるだけでなく、費用もかかる。また漁場の汚染なども近年問題となっている。
【課題を解決するための手段】
【０００４】  採餌音は瞬時に水中を伝わり、その魚を捕食する魚に対して餌の存在を知らしめるものである。この採餌音をあらかじめ収録して記録、この音を再生装置により水面近く、または水中において再生することで集魚する。
【考案の効果】
【０００５】  こませを必要としなくなるため、コストの削減と水質汚濁防止が期待できる。また、中型、大型の魚だけを対象に集魚することが可能。
【考案を実施するための最良の形態】
【０００６】  小型のものはスピーカー、アンプ、音声合成ＬＳＩ、スイッチ、水晶振動子、電池などをＡＢＳ樹脂などで密封、防水構造とする。音声合成ＬＳＩ（ＩＣ）の出力は、アンプ（ＡＭＰ）で適当な音量に増幅され、スピーカー（３）をとおし採餌音を水中に伝達させる。電池（２）は音声合成ＬＳＩ、アンプ用の電源で乾電池２本、またはリチウム電池などが使用される。スイッチＳ１、Ｓ２は採餌音を選択するスイッチ（この場合は４種類の採餌音を選択することができる）、水晶振動子（Ｘ）は音声合成ＬＳＩの発生音の基本となる周波数を発振するもので声合成ＬＳＩに入力される。
音声合成ＬＳＩには、あらかじめ採取しておいた採餌音が書き込まれている。採餌音の書き込みには、音声分析編集ツールを使用し（通常は音声合成ＬＳＩ製造メーカーで用意されている）音源のアナログ信号をデジタル信号に変換することにより行う。音声合成ＬＳＩは、音声データの書き込み・設定方法により音の断続、エンドレス再生が可能であり、少ないデータ量で長時間音を再生させることができる。業務用での大出力を要するものは記憶再生部とスピーカー部を分離し、外部電源を利用可能とする。
【図面の簡単な説明】
【０００７】
【図１】  概観図
【図２】  回路のブロックダイアグラム
【符号の説明】
【０００８】  １      採餌音記憶・発声のための制御部
２      内蔵電池
３      スピーカー
４      釣り下げ用フック
Ｓ１    選択スイッチ
Ｓ２    選択スイッチ
ＩＣ    音声合成ＬＳＩ
ＡＭＰ  増幅器
Ｘ      水晶振動子
【図１】
0003113739.tif 000003
【図２】
0003113739.tif 000004
(57)【要約】      （修正有）【課題】トイレットペ−パ−の衛生状態を維持するために、その包装用紙を水に溶けにくかったり、また、破れにくかったりすること。【解決手段】トイレットペ−パ−の包装用紙に広告欄をはじめ必要な事項を印刷し、かつ、ワニスを塗布する、という構成からなっている。【選択図】図１
0003113774.tif 000002
【実用新案登録請求の範囲】
【請求項１】
広告欄をはじめ必要な事項を印刷し、かつ、ワニスを塗布した紙からなる、トイレットペーパーの包装用紙
【考案の詳細な説明】
【技術分野】
【０００１】  この考案は、トイレットペ−パ−を包装するために使用する用紙に関するものである。
【背景技術】
【０００２】  古紙回収の業務にあたっては、古紙と交換するトイレットペ−パ−を玄関前等の屋外に置いて帰る機会が多くなるし、また、外来者用の公衆便所のトイレットペ−パ−を取り付けるにあたっては、土間等に直接に置く機会が多くなる。そうすると、トイレットペ−パ−を包装する紙は、雨水や水たまり等にあって水に溶けたり、または、それを取り扱うにあたって破損することにもなり、トイレットペ−パ−を汚損するので、不衛生な状態となる。【０００３】  この包装用紙のもっている難点を克服するために、最近、トイレットペ−パ−を紙ではなくビニ−ルを用いて包装するやり方も行われている。
ところが、このやり方でも、ビニ−ル包装時の空気抜きや熱によって、トイレットペ−パ−の底や横の部分に透き間が必ず空くことになるので、水が染み込んできて不衛生な状態となるし、また、ビニ−ルを処分するにあたっても、環境上の問題が残る。
【考案の開示】
【考案が解決しようとする課題】
【０００４】  この考案が解決しようとする問題点は、次の通りである。
（イ）トイレットペ−パ−を包装するためには、ビニ−ルよりも紙を用いるべきである。紙は再利用できるのに対し、ビニ−ルは環境上の問題が残るからである。
（ロ）トイレットペ−パ−を包装する用紙は、雨水や水たまり等にあっても水に溶けにくかったり、また、それを取り扱うにあたっても破損しにくかったりするものとすべきである。
（ハ）トイレットペ−パ−の用途からみて、それに用いる包装用紙に広告的な価値を見い出すことも大切である。
【課題を解決するための手段】
【０００５】  この考案が解決する手段は、次の通りである。
（イ）トイレットペ−パ−（４）の包装用紙（１）の表面に広告欄（２）をはじめ必要な事項（３）を印刷する。
（ロ）この印刷した用紙（１）の上にワニスを塗布する。
【考案の効果】
【０００６】  この考案の効果は、次の通りである。
（イ）トイレットペ−パ−（４）の包装用紙（１）は再製して利用できるので、ビニ−ルと異なり、環境上の問題を生じない。
（ロ）包装用紙（１）にはワニスが塗布されているので、雨水や水たまり等にあっても水に溶けにくいし、また、それの取り扱いにあたっても破損しにくいので、良好な衛生状態を維持できる。
（ロ）包装用紙（１）に広告欄（２）を設定すると、広告媒体としても利用できる。
【最良の実施例】
【０００７】  この考案の最良の実施形態は、次の通りである。
（イ）トイレットペ−パ−（４）を包装する用紙（１）の表面に広告欄（２）その他必要な事項（３）を印刷し、その上にワニスを塗布する。
（ロ）この用紙（１）をもって、トイレットペ−パ−（４）を包装する。
【実施例】
【０００８】  この考案の実施例は、次の通りである。
（イ）トイレットペ−パ−（４）を包装する用紙（１）の表面に広告欄（２）を設定し、そこに必要な広告の内容を印刷する。
（ロ）また、広告欄（２）の周辺に絵画・図形、商品名、製造者名等（３）、それ以外の事項をも印刷する。
（ハ）このような印刷をなした後に、その用紙（１）の表面に全体にわたってワニスを塗布する。
（ニ）広告欄（２）を需要者に見えるように表側にして、この用紙（１）をトイレットペ−パ−（４）に被せ、その中心にある穴（５）に巻き込むようにして包装する。
【図面の簡単な説明】
【０００９】
【図１】  本考案の包装用紙を表側に展開した図である。
【図２】  本考案の包装用紙をトイレットペ−パ−に使用した時の図である。
【符号の説明】
【００１０】１  包装用紙
２  広告欄
３  絵画・図形等
４  トイレットペ−パ−
５  軸穴
【図１】
0003113774.tif 000003
【図２】
0003113774.tif 000004
(57)【要約】【課題】ヘッドのインサート面の有効面積の打撃点を連結部と同一高さに位置させ、できるだけ地面と近い位置に重さ中心を形成して、ゴルフボールを正確にヒットさせるようにし、インパクト時に発生するヒールとトーの誤振動によるミスショットを防止するようにしたゴルフ用パターを提供する。【解決手段】ヘッド１とシャフト２が結合されてなるゴルフ用パターＡにおいて、前記ヘッド１を構成するインサート面４の一側部に孔３を形成し、この孔３に、シャフト２の下端部に設けられた連結幹を挿入、固定してなる。【選択図】図１
0003113779.tif 000002
【実用新案登録請求の範囲】
【請求項１】
ヘッド１とシャフト２が結合されてなるゴルフ用パターＡにおいて、前記ヘッド１を構成するインサート面４の一側部に、シャフト２の連結幹６を連結してなることを特徴とするゴルフ用パター。
【考案の詳細な説明】
【技術分野】
【０００１】  本考案はヘッドとシャフトが結合してなる公知のゴルフ用パターにおいて、パターのヘッドを構成するインサート面の一側に孔を形成し、シャフトの下部垂直幹の下端部を折り曲げて前記インサート面の孔に連結して固定することにより、ヘッドのインサート面の有効面積の打点を連結部と同一高さに位置させ、できるだけ地面と近い位置での低重心を形成して、ゴルフボールを正確にヒットさせるようにし、インパクト時に発生するヒールとトーの誤振動によるミスショットを防止するようにしたゴルフ用パターに関するものである。
【背景技術】
【０００２】  従来の一般のゴルフ用パターは、図２に示すように、パターを構成するヘッド２０とシャフト３０が打点から遠く離れて結合、固定されたものであって、精巧なコントロールが比較的難しく、パッティング時にヘッド２０の運動方向が水平方向であり、ヘッド２０を動かすシャフト３０はヘッド２０に直角に形成されているため、ゴルフボールの打撃時に不安な運動方向が発生し、ヘッド２０の運動が均等でなくてヒール部８とトー部９のブレが生じて軌道がずれるなど、使用者の所望方向へのゴルフボールの打撃正確度を低下させる。また、ゴルフで重要視する低重量中心により地面に近い安定したスイング軌道をなすことができないため、高度の訓練をしなければ正常のパッティングが容易でない。したがって、使用者はゴルフで重要視する安定した姿勢を取り難いため、ゴルフボールをホールに入れられる集中力が低下する欠点があった。
【考案の開示】
【考案が解決しようとする課題】
【０００３】  したがって、本考案は、前記のような欠点を解決するためになされたもので、その目的とするところは、パターのヘッドを構成するインサート面の一側に、ヘッドの運動方向と同一方向に孔を形成し、シャフトの下部垂直幹の下端部を折り曲げて前記インサート面の孔に連結して固定することにより、ヘッドのインサート面の有効面積の打点が連結部と同一高さに位置して、低重心により地面に近い所でボールをヒットさせることで、より安定したスイング軌道を作り、打撃正確度が増す。また、ヘッドの運動方向と異なるシャフトの垂直連結により、インパクト時の衝撃により発生するヒールとトーの誤振動によるミスショットを防止することにより、ゴルフボールを所望の方向に導くことができるゴルフ用パターを提供することが可能となる。
【課題を解決するための手段】
【０００４】  前記課題を解決するため、本考案は、ヘッドとシャフトが結合されてなるゴルフ用パターにおいて、前記ヘッドを構成するインサート面の一側部に孔を形成し、この孔に、シャフトの下端部に設けられた連結幹を挿入、固定してなることを特徴とするゴルフ用パターを提供する。
【考案の効果】
【０００５】  以上のような本考案は、パターのヘッドを構成するインサート面の一側にシャフトを構成する連結幹を連結して固定することにより、ヘッドのインサート面の有効面積の打点が連結部と同一高さに位置することで、打撃正確度が増し、これにより、精巧なインパクトおよび容易なコントロールを可能となる。また、シャフトがヘッドの運動方向と同一方向に連結されて、安定した姿勢でより地面に近い所でボールをヒットすることが出来、ゴルフボールを容易かつ正確にコントロールすることが出来るようになる。また、垂直連結構造によりインパクトの際に発生するヒールとトーの誤振動を構造的に防止して、ミスショョットを防止する効果がある。
【考案を実施するための最良の形態】
【０００６】  以下に添付図面を参照しながら、本考案の好適な実施形態について詳細に説明する。
図１に示すように、パターＡを構成するヘッド１のインサート面４の一側部に孔３を形成する。また、シャフト２の下端部には、前記インサート面４の一側部の孔３に結合されるように、前記下端部を折り曲げて連結幹６を形成する。前記のようなヘッド１の一側部に形成された孔３に前記シャフト２の下端部の連結幹６を挿入、固定することにより、本考案のゴルフ用パターが出来上がる。このように構成された本考案のゴルフ用パターは、パッティングの際、インサート面４の一側に結合されたシャフト２の連結幹６がヘッド１の運動方向と同一方向に連結されているので、ブレの少ないコントロールが可能となる。また、シャフト２とヘッド１の連結部が同じインサート面４に位置し、ボールをヒットする高さとシャフトとの連結部の高さが同じ、かつ最も地面に近い所でボールをヒットするので、従来のパターと比べて、ストロークの正確性が増す。また従来のシャフト２とヘッド１の垂直連結構造を同一連結構造に変えることで、インパクトの際に発生するヒール８とトー９の誤振動を防止して、より容易なストロークを可能にする。
以上、添付図面を参照しながら本考案の好適な実施形態について説明したが、本考案は係る例に限定されない。同業者であれば、実用新案登録請求の範囲に記載された範疇内において、各種の変更例または修正例に想到し得ることは明らかである。
【図面の簡単な説明】
【０００７】
【図１】本考案によるゴルフ用パターの斜視図である。
【図２】従来のゴルフ用パターを示す斜視図である。
【符号の説明】
【０００８】  １    ヘッド
２    シャフト
３    孔
４    インサート面
５    垂直幹
６    連結幹
７    ゴルフボール
８    ヒール
９    トー
Ａ    シャフト
【図１】
0003113779.tif 000003
【図２】
0003113779.tif 000004
(57)【要約】      （修正有）【課題】廃材である裁断紙幣を使用したストラップ、キーホルダーおよび根付を提供すること。【解決手段】裁断紙幣２を中空な全て又は一部が透明なガラス、合成樹脂などで出来た部材１に入れ密閉し、これに紐３、チェーンなどを取り付けストラップ、キーホルダー又は根付に加工する。【選択図】図１
0003113775.tif 000002
【実用新案登録請求の範囲】
【請求項１】
廃材である裁断紙幣を中空な全て又は一部が透明なガラス、合成樹脂などで出来た部材に入れ密閉し、これをストラップ、キーホルダー又は根付に加工して成る製品。
【考案の詳細な説明】
【技術分野】
【０００１】本考案は、廃材である裁断紙幣を使用したストラップ、キーホルダーおよび根付に関する。
【背景技術】
【０００２】近年、省資源化や廃棄物の削減などを目的として、廃材を再利用することが着目されている。廃材である裁断紙幣を使用したストラップ、キーホルダーおよび根付はなかった。
【考案の開示】
【考案が解決しようとする課題】
【０００３】廃材である裁断紙幣を使用したストラップ、キーホルダーおよび根付を提供すること。
【課題を解決するための手段】
【０００４】上記の目的を果たすために開発された本考案は、廃材である裁断紙幣を使用した製品であって、上記裁断紙幣を中空な全て又は一部が透明なガラス、合成樹脂などで出来た部材に入れ密閉し、これに紐、チェーンなどを取り付けストラップ、キーホルダー又は根付に加工して成ることを特徴とする製品である。
【考案の効果】
【０００５】裁断紙幣を中空な全て又は一部が透明なガラス、合成樹脂などで出来た部材に入れ密閉することで、裁断紙幣の散逸を防ぐ効果がある。また、直接裁断紙幣と皮膚との接触を防ぐことができ衛生的である。
【考案を実施するための最良の形態】
【０００６】次に実施例により本考案をさらに詳細に説明する。
【実施例】
【０００７】図１は、中空な全て又は一部が透明なガラス、合成樹脂などで出来た本体１に裁断紙幣２を入れ密閉し紐３を取り付けストラップに加工したものである。【０００８】本考案の本体１の形状及び大きさについては特に限定はなく、例えば縁起物の人形の形にしても良いし、球などの幾何的形状にしても良い。【０００９】本考案の中空な全て又は一部が透明である本体１に他の部材、例えば金属などを一部使用しても良い。【００１０】本考案の本体１の色は無色透明に限定されるものではなく、全て又は一部を有色透明にすることが出来る。【００１１】本考案の本体１の中には裁断紙幣のみでなく、他の部材、例えば金箔なども一緒に入れることが出来る。
【図面の簡単な説明】
【００１２】
【図１】この考案の一実施形態を示す斜視図である。
【符号の説明】
【００１３】１  ガラス、合成樹脂などで出来た本体
２  裁断紙幣
３  紐
【図１】
0003113775.tif 000003
(57)【要約】      （修正有）【課題】複数の筒をつなぎ合わせて使う、編み籠の整形を助ける手芸の補助具を提供する。【解決手段】複数の筒状物体１を編み籠横断面の形につなぎ合わせ、それぞれの穴に編み籠材料２を任意の長さまで通して骨組みを固定させ、その間に別の材料を編み込むことでしだいに籠を整形できるようにした。【選択図】図１
0003113776.tif 000002
【実用新案登録請求の範囲】
【請求項１】
複数の筒状１からなり、その筒状１の穴に製作途上の編み籠の材料２を通すことによって籠の整形を助ける手芸補助具。
【考案の詳細な説明】
【考案が解決しようとする課題】
【０００１】  編み籠を造る職人の経験や知識に乏しい個人が趣味で編み籠を製作したさい、専用工具がなく、安定性や美観の乏しい製品が出来上がる問題を有していた。
【課題を解決するための手段】
【０００２】  上記問題を解決するため、同一の形状をした筒状のものを繋ぎ合わせ、編み籠の横断面と同じ形状に組み、その筒に編み籠の縦線に使う材料を任意の長さまで通して、そのまま籠の形を崩さないよう芯になる部位を固定するようにした。
【考案の効果】
【０００３】  編み籠の材料の内、芯や骨になる縦線の材料を固定しておけば、整った形状の籠を編むことが出来る。
【図面の簡単な説明】
【図１】  筒状の斜視図である。
【図２】  筒状の断面図である。
【図３】  筒状の使用図である。
【符号の説明】
１  筒状の編み籠製作補助具
２  編み籠の材料
【図１】
0003113776.tif 000003
【図２】
0003113776.tif 000004
【図３】
0003113776.tif 000005
(57)【要約】      （修正有）【課題】力が無くても、誰でも持て、自分の手の重みでクスリシートの裏側のシートに挿し一回転するそのまま斜めにするだけでクスリが取り出せる、一人でクスリが飲めるようにした。【解決手段】略円形に鋭角な先端を有し、弾力性のある板材からなるクスリ取り出し道具。【選択図】図５
0003113773.tif 000002
【実用新案登録請求の範囲】
【請求項１】
略円形に鋭角な先端を有し、弾力性のある板材からなるクスリ取り出し道具。
【請求項２】
板材の略中央に前記板材よりも弾力性のある突起を備えることを特徴とする、請求項１に記載のクスリ取り出し道具。
【請求項３】
前記板材が抗菌性を有することを特徴とする請求項１又は２に記載のクスリ取り出し道具。
【請求項４】
前記板材の片面又は両面に蛍光塗料又は蛍光紙と備えることを特徴とする請求項１から３に記載のいずれかのクスリ取り出し道具。
【請求項５】
前記板材は一部に穴を有しさらに前記穴を通した紐を特徴とする請求項１から４に記載のクスリ取り出し道具。
【考案の詳細な説明】
【技術分野】
【０００１】        クスリシートの裏側のシートに本発案品を挿して一回転する、そのまま斜めにするだけでクスリを取り出せる。
［背景技術］【０００２】特開２００４−３５０７９２  シート装置、特開２００４−３１３１３０送風式薬剤放散装置    特開２００４−１１８６６３投薬情報作成装置  特開  ２００４−１１５７６６粘着クシート  以下あらゆる検索結果で見る限り、クスリシートよりクスリを取り出す道具は無かった。
［考案の開示］
［考案が解決しようとする課題］【０００３】        本考案は、おとしよりや、リュウマチ患者は指が変形した、手首や指にほとんど力が無く、クスリシートからクスリを取り出すのに大変苦痛な思いをしていました、家族やヘルパーさんに御願いしてクスリを取り出していただいていた、その為クスリを飲む時間が不規則だった。過去のデーターを見てもクスリシートより薬を取り出す道具が無く、健康な人には、想像も出来ない当たり前のことを、本考案は、解決した。
［課題を解決するための手段］【０００４】        手首や指が変形していた、お年寄りでも、自分でクスリを開けて飲みたい、目の前にどんなに良く効くクスリがあっても人に、頼まないとクスリも飲めない、これ程屈辱的な苦痛はありません、たとえ、どんな大変な病気でも、なるべく自分で出来ることはしたい、少しでも自立がしたいと願う患者様にお役に立てていただきたいと思い本考案をしました。手の平におさまる。滑り止めも付いている、蛍光塗料があり薄暗いところでも本考案品が良く見えるしクスリの飲み忘れも解決する、ひも付きで持ちやすく抗菌作用もある人に優しい部材を使用し柔軟性もあるので危険が無く安心して使える、手首や指がどんなに変形していても、お年寄りがどんなに力が無くても、本考案は誰でも持てる、自分の手の重みでクスリシートの裏側のシートに挿し一回転するそのまま斜めにするだけでクスリが取り出せる、一人でもクスリが飲める課題を解決した。
［考案の効果］【０００５】        いままで人に頼まないとクスリをクスリシートから出せなかったが、本考案品を使うことにより、自分でクスリを取り出せると言う喜びや自立心が芽生える、又人の手を煩わせないと云う気楽さもある、時間通りクスリを飲める、自立出来ると心まで楽しくなる、抗菌作用、蛍光塗料があり見えやすい、滑り止め、ひも付きである。
［考案を実施するための最良の形態］【０００６】お年寄りや、リュウマチで指が変形した患者、病気で手に力が無い人に、自分の手でクスリが飲める喜びが出来る、自立心が持てる、前向きに行動出来る、時間通り薬が飲める。
［実施例］【０００７】        本考案品は安値である、抗菌、蛍光塗料、滑り止め、ひも付き、軽くて安全、使いやすい、時間通り薬が飲める、自分でクスリを取り出せる喜びがある、自立心が出来る、薬の飲み忘れが無くなる、抗菌作用も施されている、使い方が簡単、安全、軽い、どんなに変形した指でも持てる。
［産業上の利用可能性］【０００８】薬局や病院でも使用できる、これから、お年寄りも多くなるので、使用用途が広範囲です、抗菌作用があり、清潔、本考案品は患者様皆様に受け入れられると思われます。
【図面の簡単な説明】
【０００９】［図１］板材、略円形、抗菌、蛍光塗料又は蛍光紙を有し柔軟性を有す。
［図２］前記板材の一部に  三角の突起がある。
［図３］前記板材の中程に板材より柔軟性のある滑り止めを備える。
［図４］前記板材に紐を通す穴が開いている。
［図５］完成図
【図１】
0003113773.tif 000003
【図２】
0003113773.tif 000004
【図３】
0003113773.tif 000005
【図４】
0003113773.tif 000006
【図５】
0003113773.tif 000007